(57)【要約】【課題】  螺旋状補強ホース内に接続金具を挿入する作業が容易に行えるようにし、また、挿入後、ホースと接続金具の結合が外れるのを防止する。【解決手段】  螺旋状補強ホースＨを挟み込んで締付け固定できる一対の締付け金具２を設け、この締付け金具２にブラケット３を突設して挿通孔を形成するとともに、この挿通孔にネジシャフト４の先端部を挿通させて先端側をナット５で固定し、ネジシャフト４の基端側を押圧板６の挿通孔６ｈに挿通させて締付けナット７を螺合させ、押圧板６を締付けナット７の締付けで前進させることにより、接続金具Ｋを圧入する。【選択図】      図１
2006051560.tif 000002
【特許請求の範囲】
【請求項１】
螺旋状補強ホースを挟み込んで締付け固定できる一対の締付け金具と、この締付け金具に突設される複数のブラケットと、このブラケットに形成される挿通孔を挿通自在な複数のネジシャフトと、各ネジシャフトを挿通せしめることのできる複数の挿通孔が形成される押圧板と、ネジシャフトの先端側と基端側に螺合自在なナットを備え、前記押圧板が、継手金具の端面を押圧可能な形状、サイズにされることを特徴とする螺旋状補強ホースに対する継手金具の挿入治具。
【請求項２】
前記挿入治具の一部を、抜け止め防止を兼ねた連結治具として使用することを特徴とする請求項１に記載の螺旋状補強ホースに対する継手金具の挿入治具。
【発明の詳細な説明】
【技術分野】
【０００１】
本発明は、例えば気体や液体などを送るため螺旋状に補強されて耐圧性等を高めたホースの開口端部に継手金具を挿入する際に便利な挿入治具に関する。
【背景技術】
【０００２】
従来、例えば土木工事の泥水やヘドロやモルタル等を吸圧送したり、室内の空調、換気等のため送気、排気、集塵等を行ったりする際、螺旋状に補強されて耐圧性等を高めたホース（例えば、特許文献１参照。）が使用されることがあり、このような螺旋状補強ホースに接続金具（ニップル）を挿入するときは、ホースの端部を熱湯等で加熱して軟化させた後、ホースの内径より若干大き目の軸径の接続金具を挿入したり、またはグリース等を塗って抵抗を少なくして挿入したりするようにし、その後、必要に応じてホースの挿入箇所の外周に結束バンド等を巻いて抜け止め防止を図るようにしている。
【特許文献１】実開平６−１９６８号公報
【発明の開示】
【発明が解決しようとする課題】
【０００３】
ところが、従来のようにホースの端部を熱湯等で加熱して軟化させたり、グリ−スを塗って圧入するような場合、作業に手間と時間がかかるとともに、熱湯等で軟化させる場合には、作業の安全性にも問題があった。
また、結束バンド等で接続金具とホースを一体に固定する方法は、ホース内の流体等の流体圧が高い場合などには結合力が不足してホースと接続金具が外れる虞があった。
【０００４】
そこで本発明は、螺旋状補強ホース内に接続金具を挿入する作業が容易に行えるようにし、また、挿入後、ホースと接続金具の結合が外れるのを防止することを目的とする。
【課題を解決するための手段】
【０００５】
上記目的を達成するため本発明は、螺旋状補強ホースを挟み込んで締付け固定できる一対の締付け金具と、この締付け金具に突設される複数のブラケットと、このブラケットに形成される挿通孔を挿通自在な複数のネジシャフトと、各ネジシャフトを挿通せしめることのできる複数の挿通孔が形成される押圧板と、ネジシャフトの先端側と基端側に螺合自在なナットを設け、前記押圧板として、継手金具の端面を押圧可能な形状、サイズにした。
【０００６】
そして、螺旋状補強ホースの端部付近を、一対の締付け金具により挟み込んで固定し、締付け金具に突設されるブラケットの挿通孔にネジシャフトの先端部を挿通させて先端側をナットで固定した後、ネジシャフトの基端側を押圧板の挿通孔に挿通させる。そして、ホースに開口部に接続金具の軸部先端を軽く差込み、接続金具の基端側を押圧板に当接させ、ネジシャフトの挿通基端部にナットを螺合させ、このナットを締め付けることで押圧板を前進させれば、接続金具は押圧板に強い力で押圧されてホース内に圧入される。このような要領により、ホース端部を軟化させたり、グリースを塗ったりするような手間をかけなくても円滑に挿入することができる。
この際、締付け金具がホースに確実に固定されて動かないよう、例えばホース外周に螺旋状突起部が突出している場合、締付け金具の内周に、ホース外周の螺旋状突起部に係合する螺旋状の係合部を形成しておくことが好ましい。
【０００７】
また本発明では、前記挿入治具の一部を、抜け止め防止を兼ねた連結治具として使用するようにした。
そして、例えば、本挿入治具を使用して接続金具を挿入し、接続金具同士を接続した後、抜け止め防止を兼ねた連結治具として使用すれば、確実な抜け止め防止を図ることができて便利である。
【発明の効果】
【０００８】
螺旋状補強ホースを挟み込んで締付け固定できる一対の締付け金具を設け、この締付け金具にブラケットを突設して挿通孔を形成するとともに、この挿通孔にネジシャフトの先端部を挿通させて先端側をナットで固定し、ネジシャフトの基端側を押圧板の挿通孔に挿通させてナットを螺合させ、前記押圧板を基端側のナットの締付けで前進させることにより、接続金具を圧入するようにすれば、強い力で挿入することができ、ホースの開口部を軟化させたり、グリース等を塗らなくても挿入することができる。
また、挿入治具を、抜け止め防止を兼ねた連結治具として使用すれば、確実な抜け止め防止を図ることができて便利である。
【発明を実施するための最良の形態】
【０００９】
本発明の実施の形態について添付した図面に基づき説明する。
ここで図１は本発明に係る挿入治具の分解斜視図、図２はホースに本挿入治具を装着して継手金具を挿入する状態の説明図で、（ａ）は挿入開始時の状態図、（ｂ）は挿入後の状態図、図３は螺旋状補強ホースと継手金具の一例の説明図、図４は抜け止め防止を兼ねた連結治具として使用するときの説明図である。
【００１０】
本発明に係る挿入治具は、例えば図３に示すような螺旋状補強ホースＨに継手金具（ニップル）Ｋを挿入するにあたり、ホースＨの端部を熱湯で軟化させたり、挿入部にグリース等を塗ったりしなくてもスムーズに挿入できるようにされ、また、挿入後には、抜け止め防止を兼ねた連結治具として使用できるようにされている。
なお、このような螺旋状補強ホースＨとしては、螺旋状に巻かれた硬質樹脂、または金属線等の周囲を軟質樹脂や特殊ゴム等で覆ったものが一般的であり、径も数十ｍｍ程度のものから数百ｍｍ程度のものまでがある。そして、本実施例では、螺旋状の補強部Ｈａがホースの外面に突出して凸状になったものとされている。
【００１１】
また、前記接続金具Ｋは金属製のものが一般的であるが、場合によっては硬質樹脂から形成されているものもあり、ホースＨ内に挿入される軸部Ｋｊと、複数の連結孔が形成される大径の連結部Ｋａを備えた形態のものが一般的である。
【００１２】
本挿入治具１は、図１に示すように、ホースＨの外周を挟んでクランプ状に固定することのできる一対の締付け金具２と、各締付け金具２の表面に突設される各一対のブラケット３と、各ブラケット３に形成される挿通孔を挿通可能なネジシャフト４と、各ネジシャフト４をブラケット３に固定するための前後一対のナット５と、各ネジシャフト４を挿通せしめるための挿通孔６ｈが形成される押圧板６と、ネジシャフト４の基端側に螺合する締付けナット７を備えている。
【００１３】
前記締付け金具２は、半円筒形の本体部２ａと、この本体部２ａの両端部から外方に張出す張出部２ｂを備えており、この張出部２ｂには、両方の締付け金具２をボルト８、ナット９で固定する際のボルト挿通孔が形成されている。
また、張出部２ｂと張出部２ｂの間には、ボルト８を挿通させることのできる各種厚みのスペーサリング１０が介装可能に設けられており、両者間の間隔を調整できるようにされている。
そして、本体部２ａの内面側には、前記ホースＨの螺旋状の補強部Ｈａに係合可能な螺旋状の突起ｔが設けられている。
【００１４】
前記押圧板６は、平板状の板であり、挿通孔６ｈで囲まれる部分を継手金具Ｋの連結部Ｋａの外面に当接させて押圧できるようなサイズにされている。
【００１５】
以上のような挿入治具１の使用方法等について、図２に基づき説明する。
まず、図２（ａ）に示すように、一対の締付け治具２でホースＨ端部付近を挟み付けるように締付け固定する。この際、内面の螺旋状突起ｔをホース外面の補強部Ｈａに係合させて締付け治具２がホースＨの軸方向に移動しないようにする。
【００１６】
そして、締付け金具２のブラケット３にネジシャフト４の先端部を挿通させた後、ブラケット３に対し、前後のナット５で固定する。次いで、継手金具Ｋの軸部Ｋｊ先端先細り部をホースＨの開口部に差込んだ状態にするとともに、ネジシャフト４の基端側に挿通させた押圧板６の前面を継手金具Ｋの連結部Ｋａ端面に当接させ、締付けナット７をネジシャフト４に螺合させる。そして、この締付けナット７を締め付けることで、押圧板６を前進させれば、継手金具Ｋは強い力で押圧されて、（ｂ）に示すように、軸部ＫｊがホースＨ内に圧入される。
【００１７】
この際、締付けナット７は手動用レンチ等を使用して手作業で回すようにしてもよく、複数のナットランナー等を使用してすべての締付けナット７を同時に回してもよいが、特に手作業で作業するときは、複数の締付けナット７を順次所定量づつ締め付けていくことで、全般に継手金具Ｋが軸線から傾かないようにすればスムーズに挿入できる。
このような方法により、従来のようにホースＨの端部を熱湯で軟化させたり、グリースを塗布する必要がなくなる。
また、本挿入治具１は、例えばホースＨの径に合わせて数種類のものを予め準備しておき、微小の径の調整はスペーサリング１０の厚みの調整で行うようにすればよい。
【００１８】
ところで、以上のような手順で継手金具Ｋを挿入した後、本挿入治具１の一部を、抜け止め防止を兼ねた連結治具として使用することができる。
すなわち、図４に示すように、継手金具Ｋ同士を連結した後、本挿入治具１のうち、締付け治具２を両方のホースＨに固定したまま、ネジシャフト４で連結してナット５等で固定すれば、両者のホースＨが継手金具Ｋから抜け出すのを防止しながら、連結状態を維持できる。
この際、必要に応じて締付け金具２間のスペーサリング１０を外してホースＨの外周をしっかりと固定するようにする。
【００１９】
なお、本発明は以上のような実施形態に限定されるものではない。本発明の特許請求の範囲に記載した事項と実質的に同一の構成を有し、同一の作用効果を奏するものは本発明の技術的範囲に属する。例えば、締付けナット７を使用する代わりに、端部に六角頭部付き等のボルト式ネジシャフト４を使用して、ネジシャフト４自体をねじ込んで継手金具Ｋを押圧するようにしてもよい。
また、左右の締付け金具２にそれぞれボルト式ネジシャフトを使用して両者をターンバックルで連結し、このターンバックルを操作するようにしてもよい。この場合、特に場所が制約されて締付けナット７が操作しにくいような場合に有効である。
【産業上の利用可能性】
【００２０】
螺旋状補強ホースの継手金具を挿入するにあたり、従来のように熱湯を使用してホース開口部を軟化させたり、グリース等を塗ったりする手間が省け、作業性が向上するとともに、挿入した後、抜け止め防止を兼ねた連結治具として使用できるため便利である。
【図面の簡単な説明】
【００２１】
【図１】本発明に係る挿入治具の分解斜視図
【図２】ホースに本挿入治具を装着して継手金具を挿入する状態の説明図で、（ａ）は挿入開始時の状態図、（ｂ）は挿入後の状態図
【図３】螺旋状補強ホースと継手金具の一例の説明図
【図４】抜け止め防止を兼ねた連結治具として使用するときの説明図
【符号の説明】
【００２２】
１…挿入治具、２…締付け金具、３…ブラケット、６…押圧板、６ｈ…挿通孔、７…締付けナット、Ｈ…螺旋状補強ホース、Ｋ…継手金具。
【図１】
2006051560.tif 000003
【図２】
2006051560.tif 000004
【図３】
2006051560.tif 000005
【図４】
2006051560.tif 000006